(57)【要約】【課題】水処理槽等に配設した覆蓋に植生した植物の維持、管理を簡易に行うことができる水処理槽等の水面上方の緑化構造を提供すること。【解決手段】水処理槽Ｓの水面上方に配設する覆蓋１に水処理槽Ｓから発生する水蒸気等の水分が通過可能な水分進入部１１を設けるとともに、覆蓋１上に植生基盤層２を形成する。【選択図】図１
2008125375.tif 000002
【特許請求の範囲】
【請求項１】
水処理槽等の水面上方に配設する覆蓋に水面から発生する水蒸気等の水分が通過可能な水分進入部を設けるとともに、前記覆蓋上に植生基盤層を形成したことを特徴とする水処理槽等の水面上方の緑化構造。
【請求項２】
植生基盤層が水分保持機能を備えることを特徴とする請求項１記載の水処理槽等の水面上方の緑化構造。
【請求項３】
水分進入部が覆蓋を貫通する孔からなることを特徴とする請求項１又は２記載の水処理槽等の水面上方の緑化構造。
【請求項４】
覆蓋と植生基盤層との間に通気部を形成してなることを特徴とする請求項１、２又は３記載の水処理槽等の水面上方の緑化構造。
【請求項５】
水分進入部が、覆蓋から水処理槽等へ雨水を通過させないものであることを特徴とする請求項１、２、３又は４記載の水処理槽等の水面上方の緑化構造。
【発明の詳細な説明】
【技術分野】
【０００１】
本発明は、水処理槽等の水面上方の緑化構造に関し、例えば、上水道浄水施設や下水道浄化施設等における水処理槽等の水面上方の緑化構造に関するものである。
【背景技術】
【０００２】
従来、上水道浄水施設や下水道浄化施設等における水処理槽の防臭、防藻対策として、水処理槽に覆蓋を配設する技術が提案されている（例えば、特許文献１参照）。
【０００３】
一方、近年、ヒートアイランド現象への対策として、都市緑化、屋上緑化等の緑化対策が注目を集めている（例えば、特許文献２参照）が、上水道浄水施設や下水道浄化施設等における水処理槽の覆蓋の上部のように自然環境が厳しい場所では、植生を行ったとしても、植生した植物の維持、管理、特に、水分の補給に、手数やコストがかかるという問題があった。
【特許文献１】特開平６−１９８２９３号公報
【特許文献２】特開２００６−１８０７６９号公報
【発明の開示】
【発明が解決しようとする課題】
【０００４】
本発明は、上記従来の緑化対策の問題点に鑑み、上水道浄水施設や下水道浄化施設等における水処理槽、水路等の水を貯留したり、水が流れる構造物（本明細書において、「水処理槽等」という。）の水面上方に配設した覆蓋に植生した植物の維持、管理を簡易に行うことができる水処理槽等の水面上方の緑化構造を提供することを目的とする。
【課題を解決するための手段】
【０００５】
上記目的を達成するため、本発明の水処理槽等の水面上方の緑化構造は、水処理槽等の水面上方に配設する覆蓋に水面から発生する水蒸気等の水分が通過可能な水分進入部を設けるとともに、前記覆蓋上に植生基盤層を形成したことを特徴とする。
【０００６】
この場合において、植生基盤層が水分保持機能を備えるようにすることができる。
【０００７】
また、水分進入部を、覆蓋を貫通する孔から構成することができる。
【０００８】
また、覆蓋と植生基盤層との間に通気部を形成することができる。
【０００９】
また、水分進入部を、覆蓋から水処理槽等へ雨水を通過させないように構成することができる。
【発明の効果】
【００１０】
本発明の水処理槽等の水面上方の緑化構造によれば、水処理槽等の水面上方に配設する覆蓋に水面から発生する水蒸気等の水分が通過可能な水分進入部を設けるとともに、前記覆蓋上に植生基盤層を形成することにより、水面から発生する水蒸気等の水分を、水分進入部を通して覆蓋に設けた植生基盤層に供給することができ、これによって、植生基盤層の乾燥を防止し、植生基盤層に植生した植物の維持、管理を簡易に、かつ、低コストで行うことができ、メンテナンスフリー化を図ることができる。
この場合、水分を、水分進入部を通して覆蓋に設けた植生基盤層に偏りなく供給することができるので、植生基盤層を形成する覆蓋の上面に勾配があっても、植生に必要な水分が不足することがなく、このため、覆蓋の上面の勾配を調整することが不要で、ドーム形状等の自由な形状の覆蓋を採用することができる。
また、この水処理槽等の水面上方の緑化構造は、従来の覆蓋と同様に、水処理槽の防藻対策としての機能を有することに加え、下水道浄化施設における水処理槽に適用した場合には、水面から発生する臭気の成分であるアンモニア性窒素、リン等が植生基盤層を通過する際に捕捉されることによって脱臭することができ、また、植生基盤層に捕捉された臭気等の成分が植物の養分となり、これによっても、植生基盤層に植生した植物の維持、管理を簡易に、かつ、低コストで行うことができ、メンテナンスフリー化を図ることができ、さらに、覆蓋が直接太陽光に晒されないため、覆蓋の耐久性を向上することができる。
【００１１】
また、植生基盤層が水分保持機能を備えるようにすることにより、植生基盤層の保水能力を高め、植生基盤層の乾燥を確実に防止することができる。
【００１２】
また、水分進入部を、覆蓋を貫通する孔から構成することにより、水分進入部を簡易に形成することができる。
【００１３】
また、覆蓋と植生基盤層との間に通気部を形成することにより、通気部を介して、水分進入部を通して導入した水分を植生基盤層に偏りなく供給することができるため、水分進入部を設ける密度を小さくすることが可能で、水分進入部を設けることによる覆蓋の強度低下を軽減することができる。
【００１４】
また、水分進入部を、覆蓋から水処理槽等へ雨水を通過させないように構成することにより、例えば、高度の安全性が要求される上水道浄水施設における水処理槽のように、雨水の遮断が必要な水処理槽にも適用することができる。
【発明を実施するための最良の形態】
【００１５】
以下、本発明の水処理槽等の水面上方の緑化構造の実施の形態を、図面に基づいて説明する。
【実施例１】
【００１６】
図１〜図２に、本発明の水処理槽等の水面上方の緑化構造の第１実施例を示す。
この水処理槽等の水面上方の緑化構造は、上水道浄水施設や下水道浄化施設等における水処理槽Ｓの水面上方に配設する平坦な形状の覆蓋１に水処理槽Ｓから発生する水蒸気等の水分が通過可能な水分進入部１１を設けるとともに、覆蓋１上に植生基盤層２を形成するようにし、この植生基盤層２に植生３を施すようにしている。
【００１７】
この場合において、覆蓋１は、特に限定されるものではないが、例えば、合成樹脂製の成形体からなり、好ましくは、メンテナンスの際に人が乗れる程度の強度を有するようにする。
また、覆蓋１には、必要に応じて、持ち運びのための取っ手１３を取り付けるようにする。
【００１８】
覆蓋１に設ける水分進入部１１は、特に限定されるものではないが、本実施例においては、覆蓋１に簡易に形成することができる、覆蓋１を貫通する孔から構成するようにしている。
この水分進入部１１は、水処理槽Ｓから発生する水蒸気のほか、必要に応じて、曝気や噴水により生じる水滴、さらには、毛細管現象を利用して水分を吸い上げるようにした浸透部材による浸透水等の水分が通過可能なように、覆蓋１の強度を著しく損なわない程度の開口率で、略均一に形成するようにする。
【００１９】
覆蓋１上に形成する植生基盤層２は、少なくとも、植生した植物が定着、すなわち、植物の根が張り、自立可能な、１層又は２層以上の層構成とし、覆蓋１に設けた水分進入部１１から漏れ落ちないように、その構成材料を選定するようにすることが好ましい。
植生基盤層２の構成材料は、特に限定されるものではないが、例えば、植生した植物が定着可能な、ウレタンフォーム等の連続気泡性の合成樹脂製発泡材、合成繊維製や天然繊維製の不織布等を使用することができ、より好ましくは、下層に、水拡散性を有する上記合成樹脂製発泡材、合成繊維製や天然繊維製の不織布を、上層に、椰子繊維製不織布、椰子チップ、石炭灰等の多孔質無機材料、バーミキュライト、ピートモス等の軽量土壌等の通常植生に用いられる材料を用いることができる。
この場合、上層の材料が下層の発泡材や不織布を通過して漏出しないようにするために、下層の発泡材や不織布には、その目の大きさが、上層の材料の粒子よりも小さいものを使用することが好ましい。
さらに、植生基盤層２には、必要に応じて、肥料、保水剤、臭気の吸着剤等の各種添加剤を添加することができる。
特に、植生基盤層２に、高分子吸水ポリマー等の保水剤を添加したり、高い保水能力を有する保水層を形成することによって、植生基盤層２に水分保持機能を備えるようにすることができ、これにより、植生基盤層２の保水能力を高め、植生基盤層の乾燥を確実に防止することができる。
【００２０】
なお、本実施例においては、覆蓋１を、例えば、合成樹脂製の成形体から構成するようにしたが、覆蓋１を、合成樹脂のほか、ＦＲＰ、金属等の各種素材からなるものや複数の部材を組み合わせて構成したものを用いることもできる。
そして、水分進入部１１を設ける天板部は、ＦＲＰのほか、合成樹脂、金属（エキスパンドメタル等の網状部材、格子部材、パンチングメタル等の孔あき部材）等の各種素材からなる部材を用いることができ、特に、開口率の大きな網状部材、格子部材等を採用することにより、水分の通過性能を向上し、水分を植生基盤層２に偏りなく供給することができる。
【００２１】
また、本実施例においては、覆蓋１上に、直接、植生基盤層２を形成するようにしたが、図３に示す変形実施例のように、覆蓋１と植生基盤層２との間に層状又は通路状の通気部４を形成することができる。
この通気部４は、特に限定されるものではないが、例えば、覆蓋１の上に、スペーサ（図示省略）を介して、合成樹脂製発泡材、合成繊維製や天然繊維製の不織布等からなるマット状の植生基盤層２を配設することにより、容易に形成することができる。
このように、覆蓋１と植生基盤層２との間に通気部４を形成することにより、通気部４を介して、水分進入部１１を通して導入した水分を植生基盤層２に偏りなく供給することができ、これによって、水分進入部１１を設ける密度を小さくすることが可能となり、水分進入部１１を設けることによる覆蓋１の強度低下を軽減することができる。
【００２２】
また、水分進入部１１を、覆蓋１上に降った雨水を、覆蓋１から水処理槽Ｓへ通過させないようにすることができる。
具体的には、植生基盤層２の下に透湿防水性シートを敷設し、この透湿防水性シートによって水分進入部１１を覆うようにしたり、水分進入部１１をトラップ構造とし、トラップ構造を越えるような大量の降雨があった場合には雨水を覆蓋１に別途形成した排水部（図示省略）から排水する構造を採用することができる。
これにより、例えば、高度の安全性が要求される上水道浄水施設における水処理槽のように、雨水の遮断が必要な水処理槽にも適用することができる。
【実施例２】
【００２３】
図４〜図５に、本発明の水処理槽等の水面上方の緑化構造の第２実施例を示す。
この水処理槽等の水面上方の緑化構造は、上水道浄水施設や下水道浄化施設等における水処理槽Ｓの水面上方に配設するドーム形状の覆蓋１に水処理槽Ｓから発生する水蒸気等の水分が通過可能な水分進入部１１を設けるとともに、覆蓋１上に植生基盤層２を形成するようにし、この植生基盤層２に植生３を施すようにしている。
【００２４】
この場合において、覆蓋１は、特に限定されるものではないが、例えば、ＦＲＰ製の枠状の成形体からなり、好ましくは、メンテナンスの際に人が乗れる程度の強度を有するように、必要に応じて、適宜箇所に、補強桟１２を形成するようにする。
また、覆蓋１には、必要に応じて、持ち運びのための取っ手１３を取り付けるようにする。
【００２５】
そして、枠状の成形体からなる覆蓋１の上面に、アルミニウム製等の断面Ｌ字状の型材１０ａを矩形に取り付け、その内側に水分進入部１１を形成したＦＲＰ製又は合成樹脂製のトレー状のパレット１０ｂを設置し、パレット１０ｂ上に植生基盤層２を形成し、この植生基盤層２に植生３を施すようにしている。
【００２６】
なお、本実施例のその他の構成及び作用は、上記第１実施例の水処理槽等の水面上方の緑化構造と同様である。
【実施例３】
【００２７】
図６に、本発明の水処理槽等の水面上方の緑化構造の第３実施例を示す。
この水処理槽等の水面上方の緑化構造は、上水道浄水施設や下水道浄化施設等における水処理槽Ｓの水面上方に配設するドーム形状の覆蓋１に水処理槽Ｓから発生する水蒸気等の水分が通過可能な水分進入部１１を設けるとともに、覆蓋１上に植生基盤層２を形成するようにし、この植生基盤層２に植生を施すようにしている。
【００２８】
この場合において、覆蓋１は、特に限定されるものではないが、例えば、ＦＲＰ製の一体成形体からなり、好ましくは、メンテナンスの際に人が乗れる程度の強度を有するように、必要に応じて、適宜箇所に、補強桟１２を形成するようにする。
また、覆蓋１には、必要に応じて、持ち運びのための取っ手１３を取り付けるようにする。
【００２９】
なお、本実施例のその他の構成及び作用は、上記第１実施例の水処理槽等の水面上方の緑化構造と同様である。
【００３０】
以上、本発明の水処理槽等の水面上方の緑化構造について、水処理槽に配設する覆蓋の実施例に基づいて説明したが、本発明は上記実施例に記載した構成に限定されるものではなく、水処理槽のほか、例えば、水路等の水を貯留したり、水が流れる構造物に配設する覆蓋に適用できる等、その趣旨を逸脱しない範囲において適宜その構成を変更することができるものである。
【産業上の利用可能性】
【００３１】
本発明の水処理槽等の水面上方の緑化構造は、植生した植物の維持、管理を簡易に行うことができるという特性を有していることから、上水道浄水施設や下水道浄化施設等における水処理槽等の水面上方の緑化の用途に広く用いることができ、その対象も、新設のほか、既存の処理槽等の水面上方に配設している覆蓋を改造することにより適用することができる。
【図面の簡単な説明】
【００３２】
【図１】本発明の水処理槽等の水面上方の緑化構造の第１実施例を示し、（ａ）は平面図、（ｂ）は（ａ）のＸ−Ｘ線断面図である。
【図２】同概観斜視図である。
【図３】本発明の水処理槽等の水面上方の緑化構造の変形実施例を示す断面図である。
【図４】本発明の水処理槽等の水面上方の緑化構造の第２実施例を示し、（ａ）は平面図、（ｂ）は（ａ）のＸ−Ｘ線断面図、（ｃ）は（ａ）のＹ−Ｙ線断面図である。
【図５】同概観斜視図である。
【図６】本発明の水処理槽等の水面上方の緑化構造の第３実施例を示し、（ａ）は平面図、（ｂ）は（ａ）のＸ−Ｘ線断面図である。
【符号の説明】
【００３３】
Ｓ    水処理槽
１    覆蓋
１１  水分進入部
２    植生基盤層
３    植生
４    通気部
【図１】
2008125375.tif 000003
【図２】
2008125375.tif 000004
【図３】
2008125375.tif 000005
【図４】
2008125375.tif 000006
【図５】
2008125375.tif 000007
【図６】
2008125375.tif 000008